(57)【要約】【課題】簡単な操作で被加工テープを芯出ししてその向きを一定にして保持することにより、能率よく端縁の面取り加工を施せるようにする。【解決手段】鋭角に形成された被加工テープ１１０の先端部上縁を傾斜面に面取り加工する罫線形成テープの端削成装置において、被加工テープ１１０を受支する受け板２と、この受け板２上に被加工テープ１１０を定位置に位置決めする位置決め部片２１と、被加工テープ１１０のセット溝を使用して芯出しする芯出し手段１０とを備え、前記芯出し手段１０により被加工テープ１１０を切削する方向に向けて保持した状態で、その被加工テープ先端部を切削刃物により加工される直前に、前記位置決め部片２１付設の位置決め片２３が位置決め位置から退避するように構成されている。【選択図】図３
2005193662.tif 000002
【特許請求の範囲】
【請求項１】
鋭角に形成された被加工テープの先端部上縁を傾斜面に面取り加工する罫線形成テープの端削成装置において、被加工テープを受支する受け台と、この受け台上に被加工テープを定位置に位置決めする位置決め手段と、被加工テープのセット溝を使用して芯出しする芯出し手段とを備え、前記芯出し手段により被加工テープを切削する方向に向けて保持した状態で、その被加工テープ先端部を切削刃物により加工される直前に、前記位置決め手段が位置決め位置から退避するように構成されていることを特徴とする罫線形成テープの端削成装置におけるテープ位置決め保持機構。
【請求項２】
芯出し手段は、下端部を被加工テープのセット溝に係合する薄板状の芯出し部片と、この芯出し部片を上下方向に案内支持する支持部材と、その支持部材の支持構造体および前記支持部材を上下動操作する操作部材とを備え、受け台上に配置される被加工テープの先端を切削する方向に向けて、前記芯出し部片を前記セット溝に係合させて芯出し保持する構成である請求項１に記載の罫線形成テープの端削成装置におけるテープ位置決め保持機構。
【発明の詳細な説明】
【技術分野】
【０００１】
本発明は、主として板紙などから包装用箱のブランクを打抜き形成する工程で、折曲げ部を形成するために使用される罫線形成テープの端部を傾斜面に削る操作が簡単に行えるようにする、罫線形成テープの端削成装置におけるテープ位置決め保持機構に関するものである。
【背景技術】
【０００２】
従来、板紙製の包装箱は、所要形状に打抜き型を用いて打抜かれて製造されている。その包装箱のブランクを打抜き作成する工程では、所要の形状に切り抜くと同時に折曲げ部もしくは切込み部を形成するために使用される打抜き型には、例えば図５（ａ）にて示されるように、上型１０１に切断刃１０３と折目を形成するための罫線押し刃１０４とが取付けられている。また、下型１０２には前記罫線押し刃１０４に対応する位置に、折目線を圧刻するための罫線形成テープ１１０が貼着されている。
【０００３】
この罫線形成テープ１１０は、所定の間隔を保って相対向して配される二本の溝形成部材１１２，１１２によって罫押し溝１１１が作り出されるようにされている。そして、その罫押し溝１１１は簡単に形成できるように、図６で例示されるように、溝形成部材１１２，１１２の裏面側に剥離紙で被覆される感圧接着剤層１１４を設けられ、その剥離紙を介して形成される前記罫押し溝１１１上に、それら溝形成部材１１２，１１２に掛かるフランジ縁辺１１５ａを両側に有して、罫押し溝１１１の中心線上に合致する罫押し刃のセット溝１１６を備えた取付補助条片１１５を、接合テープ１１７によって剥離可能に取付けて構成されている。
【０００４】
このように構成される罫線形成テープ１１０は、図５（ａ）に装着時の態様を示されるように、打抜き型の上型１０１にセットされた罫線押し刃１０４を前記セット溝１１６に嵌め合わせて（二点鎖線で表わす）上型１０１に仮セットし、裏面側の剥離紙１１３を剥がして感圧接着剤層１１４を露出させた状態で下型１０２の板面上に押付けるようにして、その下型１０２の板面に感圧接着剤層１１４によって罫線形成テープ１１０を貼着させるようにされる。こうすることで、シート材（例えば板紙）を打抜くときに、罫線押し刃１０４が罫線形成テープ１１０の罫押し溝１１１に中心線を合致させて罫線押し（折目線付け）が正確に行えるようにされる。下型１０２の板面に罫線形成テープ１１０が定着されると、取付補助条片１１５を接合テープ１１７とともに取外すことで前記取付補助条片１１５の跡が折目線を付けるための罫線押し溝となり、図５（ｂ）に示されるように、板紙Ｐを打抜く際に罫押しが行えるようになる。
【０００５】
このような罫線形成テープ１１０は、打抜き型の下型１０２の板面に貼着するに際して、包装箱のブランク形状Ｐａに応じて折目となる罫線ａの形成箇所が交差する場合が多くある（図７（ｂ）参照）。そのために、罫線形成テープ１１０をその軸線に直交する方向に切断して使用すると、罫線押し溝形成部分が分断されるとともに、交差箇所では隣接するもの同士が突き合って正しく板面に接着できないことになる。したがって、罫線形成テープ１１０の端部１１０ａは、図７（ａ）で示されるように、必ず罫線押し溝中心線Ａを基準にして溝形成部材１１２の上縁面１１８を斜めに切断し、尖った状態となるように形成して使用されている。図７（ｂ）において、図中符号ｃは切断線で、符号ｄは逆折り曲げのための破断線である。
【０００６】
ところで、前記罫線形成テープ１１０の端部において、罫線押し溝中心線Ａを基準にして両側を斜め後退方向に切断したものを、そのまま使用すると、その切断面の部分が上下方向に角張るので、罫線押しされたブランクの表面に押し込まれて傷が付くことになり、特に表層が薄い紙質のシート材（例えば化粧シートなど）の場合、製品表面に傷による破断が発生して不具合になる。そこで、従来は罫線押し刃によって罫線形成テープ１１０を板面にセットした後に、前記端部の切断部縁（上縁）を斜めに削って角が立たないように後加工を行っている。
【０００７】
このような切断部縁を削る面取り加工は、従来、カッタナイフなどを用いて人手によって溝形成部材１１２の傾斜端面を斜めに削っている。その溝形成部材１１２は、一般に硬質ファイバーを使用して形成されており、肉厚も１ｍｍ程度のものであるから、板面に貼着された状態で手作業により傾斜面を斜めに削る加工は厄介で、多くの手間を要する作業になる。しかも、一つの打抜き型には多くの罫線形成テープ１１０が使用され、それらの両端を加工するので作業性が低く多くの労力を要求されて非能率であるという問題点がある。
【０００８】
そこで、このような面取り加工を能率よく行う目的で、前記罫線形成テープ（折目形成体）の端部を機械力で加工できるようにする面取り加工機として、土台（受け台）の上に、折目形成体を固定して切削時位置決めを行う位置決め装置と、折目形成体の長手方向端部の面取り切削加工を行う二台の切削装置とを備え、前記位置決め装置によって二箇所の切削装置に対して加工される折目形成体の向きを変えて位置決めされ、その第１の切削位置にて一方の切削装置が折目形成体のほぼ山形形状に加工された端部の一方側を切削し、第２の切削位置にて他方の切削装置が前記折目形成体の端部における他方側を切削するようにされたものが、特許文献１によって提案されている。
【０００９】
【特許文献１】特開２００３−１６５１６６号公報
【発明の開示】
【発明が解決しようとする課題】
【００１０】
しかしながら、前記特許文献１によって開示されている技術では、二台の切削装置を用いて折目形成体の端部を片側ずつ個々に切削するもので、被切削物である折目形成体を位置決め装置の固定台に固定してから、その固定台を側方に位置する切削装置の方角に所要角度回動させて固定後、対応する側の切削装置を動かして切削刃により折目形成体の側端部上縁を削る操作を行うものである。そのために、折目形成体の左右両方の側端部上縁を加工するのに固定台の向きを変えて二度の操作で、鋭角に形成された端部の面取り加工をすることになり、簡単なようで手数を要するという問題がある。
【００１１】
しかも、この先行技術においては、被加工物である折目形成体を支持する固定台において、その折目形成体の配置箇所先端側に、縦軸周りに回転可能なローラにてなるストッパが設けられ、折目形成体の先端をそのローラストッパにあてがった状態で位置決めして、固定後に左右の切削装置に対して固定台を回動させて切削位置に向けるようにされている。ところが、このようなローラストッパによる先端位置決めは、切削に際して被加工物（折目形成体）の向きを変えるとき、鋭角に形成されている被加工物が回動容易なようになっている反面、被加工物の鋭角に形成された先端が中心線上に合致していないと、ずれが生じて正しく位置決めできず、切削のために向きを変えるとき突っ張って円滑に回動させることができないという不都合が生じる。したがって、その都度固定を緩めて回動させることになり作業性が低下する。また、位置をずらせることにより、設定されている寸法に面取りができないという問題もある。さらに、この面取り装置では、被加工物を固定台に保持させて面取りのために切削するとき固定台を所要位置まで回動させる必要があるので、被加工物が長尺である場合取扱難く、不安定になって充分に固定できないので、加工操作が円滑に行えないという問題がある。
【００１２】
本発明は、このような状況に鑑みてなされたもので、簡単な操作で被加工テープを芯出ししてその向きを一定にして保持することにより、能率よく端縁の面取り加工を施すことができる罫線形成テープの端削成装置におけるテープ位置決め保持機構を提供することを目的とするものである。
【課題を解決するための手段】
【００１３】
前記目的を達成するために、本発明による罫線形成テープの端削成装置におけるテープ位置決め保持機構は、
鋭角に形成された被加工テープの先端部上縁を傾斜面に面取り加工する罫線形成テープの端削成装置において、被加工テープを受支する受け台と、この受け台上に被加工テープを定位置に位置決めする位置決め手段と、被加工テープのセット溝を使用して芯出しする芯出し手段とを備え、前記芯出し手段により被加工テープを切削する方向に向けて保持した状態で、その被加工テープ先端部を切削刃物により加工される直前に、前記位置決め手段が位置決め位置から退避するように構成されていることを特徴とするものである。
【００１４】
前記発明において、芯出し手段は、下端部を被加工テープのセット溝に係合する薄板状の芯出し部片と、この芯出し部片を上下方向に案内支持する支持部材と、その支持部材の支持構造体および前記支持部材を上下動操作する操作部材とを備え、受け台上に配置される被加工テープの先端を切削する方向に向けて、前記芯出し部片を前記セット溝に係合させて芯出し保持する構成であるのがよい（第２発明）。
【発明の効果】
【００１５】
本発明によれば、被加工テープ（罫線形成テープ）を受け台上の所定の位置に載置して保持するとき、先端を切削する方向に向けて位置決め手段によって位置決めされた後に、その被加工テープのセット溝を使用して芯出し手段によって所定の姿勢に芯出しされるとともに保持させることができ、そのまま切削刃物にあてがえばよい。被加工テープが切削刃物に対するときは位置決め手段を退避させるので、被加工テープの向きを変えることはなく、切削刃物による先端部上縁の切削加工が迅速に行えて作業性を向上させるという効果を奏する。
【００１６】
また、第２発明の構成を採用することにより、被加工テープの位置決め操作と芯出し並びに保持操作が簡単に行うことができるという利点がある。
【発明を実施するための最良の形態】
【００１７】
次に、本発明による罫線形成テープの端削成装置におけるテープ位置決め保持機構の具体的な実施の形態につき、図面を参照しつつ説明する。
【００１８】
図１には本発明によるテープ位置決め保持機構を備えた罫線形成テープの端削成装置の一部を省略した一実施形態の正面図が示されている。図２には図１の平面図が、図３には被加工テープの芯出し手段と位置決め機構を表わす平面図（ａ）と側面図（ｂ）が、図４には芯出し手段の作動の態様を表わす図が、それぞれ示されている。
【００１９】
本実施形態の罫線形成テープの端削成装置１は、被加工テープ１１０（図６参照）を受支する受け板２（本発明の受け台に対応）と、この受け板２上に設置されて被加工テープ１１０を定位置に芯出しする芯出し手段１０と、前記受け板２上に被加工テープ１１０を載置する際の先端位置を位置決めする位置決め機構２０と、被加工テープ１１０の先端の端部縁上面を斜面に削成する刃物としての回転カッタ３０およびその駆動手段とで構成されている。
【００２０】
被加工テープの受け板２（以下、単に受け板２という）は、所要高さに設定された受け台３（ベースフレーム）の上部に所要の間隔で配設される複数の受けローラ３ｂにより水平状態で進退自在に支持され、かつ左右を案内３ａ，３ａによって横振れが生じないようにされる細長い形状のもので、その受け板２の中心線Ｃ上の先端部には鋭角に形成された尖端２ａを設けて、テープの先端部が加工時安定状態で受支できるように形成されている。
【００２１】
前記被加工テープの芯出し手段１０は、前記受け板２の中心線Ｃより一方に片寄せて上面に所要高さで立設される支持部材１１の側面に設けられるアリ溝１１ａに背後部分１２ａを係合して上下動自在に付設されている保持部材１２と、この保持部材１２の前側面に着脱可能にボルト１３，１３にて取付けられる芯出し部片１４と、前記保持部材１２を上下動操作するカム機構のレバー１６付き操作片１５および前記保持部材１２を常時上向きに押し上げる蓄勢弾性体１７（実施形態ではコイルバネで、そのほか変形可能な弾性体であってもよい。以下、説明上コイルバネ１７という）とで構成されている。そして、前記芯出し部片１４は受け板２の中心線Ｃ上に対向して位置するように保持部材１４によって支持されている。なお、前記コイルバネ１７は前記保持部材１４の底部にて上向きに形成された有底穴１８内に挿入され、下端を受け板２の上面に当接させて反力を受けるように設けられている。
【００２２】
前記芯出し手段１０における芯出し部片１４は、薄板にて形成され、その厚みが被加工テープ１１０における取付補助条片１１１のセット溝１１６（図６参照）に挿入できる寸法の金属板で、下端には図４にて示されるように、所要のピッチで多数の係止突起１４ａが後方に向けて尖った状態で形成されている。
【００２３】
また、前記保持部材１２を上下動操作する操作片１５は、図４にて示されるように、前記保持部材１４の上側位置で、前記支持部材１１に前記受け板２と平行する向きで取付く支持ピン１９により、その軸心周りに回動自在に取付けられている。そして、前記操作片１５は、その下面１５ａと前記支持ピン１９の軸心からの距離ｈ２が、前側面１５ｂと支持ピン１９の軸心からの距離ｈ１よりも長い寸法に形成され、かつその下面１５ａと前側面１５ｂとの間に中間寸法の傾斜面１５ｃが形成されている。レバー１６の操作で操作片１５を回動させるとそれらの各面が保持部材１２の上面１２ｂを次第に大きく押下げられるようにされ、逆操作でコイルバネ１７の反力で押し戻される。こうして、操作片１５は、保持部材１２に付設される芯出し部片１４を上側の待機位置から被加工テープ芯出し固定位置に移動できるカム機能を発揮できる構成にされている。
【００２４】
前記位置決め機構２０は、前記受け板２上に設けられる芯出し手段１０の待機位置（被加工テープのセット位置）と対向する受け台３の一方の側部に、前記受け板２の上面と同一レベルで側方に張り出して設けられた受け座５上にて、図３（ａ）で示されるように、その受け座５上の後方寄り位置で直立して植設された枢支ピン２２で基端部を枢支されて水平回動自在な位置決め部片２１からなる。この位置決め部片２１には先端部に前記受け板２の中心線Ｃに向けて鉤型に形成された位置決め片２３が設けられている。また、前記位置決め部片２１は、前記位置決め片２３の形成部から基端部側までの区間の側面２３ａを被加工テープ１１０のセット時に、その被加工テープ１１０と接触しない形状にされている。そして、前記基端部から先端部までの間には、前記枢支ピン２２位置と所要寸法離れて前記受け板２上に直立植設されるガイドピン２５との係合位置から、側面２３ａ側へ所要区間斜めになってその後は側面２３ａに平行するように形成される細長カム長孔２６が設けられている。なお、前記位置決め部片２１の基端には薄金属板にてなる当て板２８が取付けられて、受け台３の案内部３ａの端３ｂとの当接で、位置決め片２３がセット位置に維持されるようになされている。つまり、前記受け台３の案内部３ａの端３ｂが位置決め部片２１の後退位置でのストッパとなる。
【００２５】
前記回転カッタ３０は、その刃形成面３１を、被加工テープ１１０（罫線形成テープ）の予めカットされて矢先状に形成された端部の端縁上面を傾斜面に面取り形成できる傾斜角（３３°〜４５°、ただしこれに限定されない）で笠形に形成されている。この回転カッタ３０は、前記受け台３の外側面に取付けられる軸受３２，３２′にて回転自在に支持される回転支持軸３３に固着され、一対刃形成面３１を相対向して対称に配した構造になっている。そして、前記受け板２側に対向する位置で回転軸心を受け板２上にセットされる被加工テープ１１０に直交する状態で、かつその被加工テープ１１０の前記端縁上面を面取りできるように位置させて配置されている。このようにされる回転カッタ３０の回転支持軸３３は、受け台３の一方の側部における軸受３２から突き出されて軸端にプリー３４が取付けられ、受け台３に付設されて図示されない支持部に配置のモータからベルト３５にて駆動されるようになされている（本発明の駆動手段に対応）。ただし、前記駆動手段についてはベルト伝導に限定されず、歯車伝達あるいは減速機付き電動機による直接駆動であってもよい。
【００２６】
また、前記受け台３には、受け板２が被加工テープの尖端縁を回転カッタ３０によって切削加工するときに支持ローラ３ｂと案内部３ａ，３ａにより案内支持されて進退する際に最前進位置を規定するためのストッパ３６が、前記回転カッタ３０の位置の少し手前に付設されている。このストッパ３６では、位置調節できるストッパピン３６′を設けるようにするのがよい。なお、このストッパ３６は、受け板２が前進したときに芯出し手段の支持部材１１の側面が接触して停止する位置に設けられている。ストッパについては、これに限定されず、受け板の前端と接触して停止するようにしてもよい。図中符号３７は緩み止めナットである。
【００２７】
このように構成される本実施形態の罫線形成テープの端削成装置１では、被加工テープ１１０（罫線形成テープ）の端部を加工するに際し、位置決め保持させるのに次のような操作により行われる。
【００２８】
まず、被加工テープ１１０を受け板２上に載置する際には、芯出し手段１０の操作レバー１６を引き上げて芯出し部片１４が追従してその下端を引き上げ、受け板２の上面に被加工テープ１１０が受入れられる状態にする。受け板２は、受け台３の案内部３ａの端３ｂに位置決め機構２０の位置決め部片２１基端縁を当接させた状態にして、待機位置に静止させておく。
【００２９】
この状態で前記位置決め機構２０の位置決め部片２１は、その先端に形成される位置決め片２３が受け板２上面の中央線Ｃ位置に先端を突き出して待機状態にされている。したがって、その位置決め片２３に被加工テープ１１０の尖端を当接させて中心線Ｃ上に沿って載置させる。次いで操作レバー１６を下向きに押下げる。すると、操作レバー１６と一体の操作片１５が支持ピン１９周りに回動されて、カム機能によって支持部材１１に支持されている保持部材１２がコイルバネ１７の押上げ力に打ち勝って下降すると、保持部材１２とともに芯出し部片１４が下降して、その下端部が受け板２上にある被加工テープ１１０の取付補助条片１１１のセット溝１１６に上側から係合する。こうして、芯出し部片１４によって被加工テープ１１０が中心線Ｃに沿って適正な位置に芯出しされる。そして、被加工テープ１１０は、この芯出しと同時に芯出し部片１４の下端に設けられている係止突起１４ａによって係止され、受け板２上に押付けられて固定保持される。
【００３０】
こうして、被加工テープ１１０が受け板２上に芯出しされて固定されると、そのままの状態で、予めモータを起動してベルト３５による動力伝達で回転駆動されている回転カッタ３０に向かって受け板２をスライド前進させる。すると、受け板２は受け台３に摺動自在に支持されて、かつ両側を案内部３ａ，３ａによって横振れしない状態で移動できるので直進し、受け板２の尖端が回転する回転カッタ３０の下側に到達するとほぼ同時に被加工テープ１１０の尖端縁部が切削される。受け板２が最前進するとストッパ３６に当接して前進が停止され、この時点で被加工テープ１１０の端縁の上面が傾斜面に仕上げられるのである。被加工テープ１１０には、その裏面側に感圧接着層と樹脂フィルムの層を備えているので、切削時に切削刃による切削抵抗が大きくとも、芯出し固定している芯出し部片１４の下端に多数の係止突起１４ａが後退方向に設けられているので、その係止力の働きでカッタにより引き込まれることなく確実に切削されて、正常に端縁を斜面に仕上げられるのである。
【００３１】
また、被加工テープ１１０が芯出しされて受け板２上にセットされた状態で、切削加工されるために前進させる際、位置決め機構２０の位置決め部片２１は、カム長孔２６に係合するガイドピン２５によって操作される。すなわち、ガイドピン２５は受け板２上に設けられ、位置決め部片２１が受け台３側の受け座５上に配置されて基部を枢支ピン２２に支持されているので、受け板２とともにガイドピン２５が直進すると、係合するカム長孔２６がガイドピン２５の直進に応じて操作され、始めは枢支ピン２２を基点にしてカム長孔２６の傾斜部分をガイドピン２５が移動する間、位置決め部片２１を大きく受け座５側（中心線Ｃから外側に離れる方向）に回動させる。したがって、位置決め部片２１の先端部に位置する位置決め片２３は、受け板２の移動開始と同時に中心線Ｃから外側に向けて離れ（退避し）て、被加工テープ１１０の前進を妨げることはない。ガイドピン２５が前記カム長孔２６の直線部分に移行すると、一旦大きく外向きに回動した位置決め部片２１をゆっくりと内向きに回動させて引き戻す働きをする（図３（ａ）に二点鎖線で表わしている）。そして、先端部の位置決め片２３の端が受け板２の後退時には、被加工テープと接触しない位置に保たれる。また、この位置決め部片２１は、受け板２の後退時に、前記前進時と逆に作動して支障を来たすことはない。
【００３２】
被加工テープ１１０の切削が終れば、受け板２をそのまま後退させて受け台３の案内部３ａ端３ｂに位置決め部片２１が接して停止する位置まで移動した後、操作レバー１６を上方へ移動させれば、その操作レバー１６と一体の操作片１５もともに支持ピン１９周りに回動し、操作片１５の周面に形成されるカムによって距離ｈ２からｈ１までの差分、保持部材１２が持上げられる。その結果、保持部材１２に付設の芯出し部片１４が上昇して被加工テープ１１０のセット溝から離れ、加工済みのテープを取外すことができる。なお、図４で示されるのは、操作片１５が中間位置にある状態である。
【００３３】
このように、本実施形態によれば、回転カッタ３０を所定位置で回転駆動させて、これに対して水平移動自在な受け板２上に被加工テープ１１０を芯出し手段１０によって簡単に位置決めと芯出しがとともに行えて、テープの切削部に近い位置で固定保持させて、カッタで尖った端部の両縁の上面を斜面に切削形成することができ、薄い材料で形成されている形成形成テープの端部を無理なく確実に面取り加工ができて、従来手数を要していたこの種加工作業の能率向上を図ることができるのである。
【００３４】
上述の実施形態では、被加工テープの受け板状での先端位置決め機構について、水平回動式の位置決め部片を用いたものについて記載しているが、これに代えて、図示省略するが、前記受け座位置に中心線Ｃに対して直交する向きで位置決め片を出し入れする形式のものを用いることができる。また、芯出し手段については、前記受け板上に直立固定されて上下動する芯出し部片の支持構造に代えて。図示省略するが受け台の側方から受け板上に回動できる支持体に芯出し部片を支持して、その芯出し部片が被加工テープのセット溝に係合する時点で保持部に係止して固定させ、固定解除時にはその係止部を手で押して開放させ、側方に反転開放できるような構造のものを採用することができる。
【図面の簡単な説明】
【００３５】
【図１】テープ位置決め保持機構を備えた罫線形成テープの端削成装置の一部を省略した一実施形態の正面図
【図２】図１の平面図
【図３】被加工テープの芯出し手段と位置決め機構を表わす平面図（ａ）と側面図（ｂ）
【図４】芯出し手段の作動の態様を表わす図
【図５】打抜き型の上型と下型との関係を表わす図（ａ）と打抜き作業時の態様を表わす図（ｂ）
【図６】罫線形成テープの一部を表わす斜視図
【図７】罫線形成テープの端部を表わす斜視図（ａ）とテープの使用態様の一部を表わす図（ｂ）
【符号の説明】
【００３６】
１      罫線形成テープの端削成装置
２      受け板
２ａ    受け板の尖端
３      受け台
３ａ    案内部
５      受け座
１０    芯出し手段
１１    支持部材
１２    芯出し部片の保持部材
１４    芯出し部片
１５    操作片
１６    操作レバー
１７    コイルバネ
１９    操作片の支持ピン
２０    位置決め機構
２１    位置決め部片
２２    枢支ピン
２３    位置決め片
２５    ガイドピン
２６    カム長孔
３０    回転カッタ
１１０  被加工テープ（罫線形成テープ）
【図１】
2005193662.tif 000003
【図２】
2005193662.tif 000004
【図３】
2005193662.tif 000005
【図４】
2005193662.tif 000006
【図５】
2005193662.tif 000007
【図６】
2005193662.tif 000008
【図７】
2005193662.tif 000009